(57)【要約】【課題】外部から見やすく、しかも子供が遊びながら楽しむことができる安価な万華鏡を提供する。【解決手段】被照射体３を載せる透光性板４を上面に有し透光性板４の下方に光源５を有する基体１と、ハーフミラーで構成した三角筒体であってその一端部を透光部８として透光部８が透光性板４に対向するように配置されたミラー筒部２とを備え、透光性板４と透光部８との間に被照射体３を挿入するための隙間９を形成している。ミラー筒部２と基体１とが断面において同形の多角筒体であり、それぞれの各コーナ部の外角に沿って円柱部１０、６を有し、ミラー筒部２の円柱部１０と基体１の円柱部６が凹凸嵌合している。被照射体３は、棒状部材や先端が鉤状の部材などがある。【選択図】  図１
2004205876.tif 000002
【特許請求の範囲】
【請求項１】
被照射体を載せる透光性板を上面に有し前記透光性板の下方に光源を有する基体と、内面が鏡面となった多角筒体であって前記内面の少なくとも一面をハーフミラーで構成しかつ前記多角筒体の一端部を透光部として前記透光部が前記透光性板に対向するように配置されたミラー筒部とを備え、前記透光性板と前記透光部との間に前記被照射体を挿入するための隙間を形成した万華鏡。
【請求項２】
前記ミラー筒部は前記基体の上部に凹凸嵌合して保持されている請求項１記載の万華鏡。
【請求項３】
前記ミラー筒部と前記基体とが断面において同形の多角筒体であり、それぞれの各コーナ部の外角に沿って円柱部を有し、前記ミラー筒部の前記円柱部と前記基体の前記円柱部が凹凸嵌合している請求項２記載の万華鏡。
【請求項４】
前記多角筒体は三角筒体である請求項３記載の万華鏡。
【請求項５】
前記被照射体は、棒状部材である請求項４記載の万華鏡。
【請求項６】
前記被照射体は、少なくとも先端が鉤状の部材である請求項４記載の万華鏡。
【発明の詳細な説明】
【０００１】
【発明の属する技術分野】
この発明は、特に幼児や子供の遊びに利用される万華鏡に関するものである。
【０００２】
【従来の技術】
従来、液晶パネルの前方に反射鏡を配置し、反射鏡の上方に拡散透明プリズムを配置し、拡散透明プリズムを半透明乳白色のピラミッド状の蓋体で覆ったものがあった(特許文献参照)。液晶パネルに表示した画像を光源からの光で蓋体の内面に投射することにより様々な色彩や模様を映し出すことが可能となり万華鏡のような映出効果を実現する。
【０００３】
【特許文献】
特開平2-234304号
【０００４】
【発明が解決しようとする課題】
しかし、子供が遊びながら楽しむ玩具には必ずしも適さずしかも高価であった。一方一般の万華鏡は筒状の上端から内部を覗くため見にくいという欠点があった。
【０００５】
したがって、この発明の目的は、外部から見やすく、しかも子供が遊びながら楽しむことができる安価な万華鏡を提供することである。
【０００６】
【課題を解決するための手段】
請求項１記載の万華鏡は、被照射体を載せる透光性板を上面に有し前記透光性板の下方に光源を有する基体と、内面が鏡面となった多角筒体であって前記内面の少なくとも一面をハーフミラーで構成しかつ前記多角筒体の一端部を透光部として前記透光部が前記透光性板に対向するように配置されたミラー筒部とを備え、前記透光性板と前記透光部との間に前記被照射体を挿入するための隙間を形成したものである。
【０００７】
請求項１記載の万華鏡によれば、隙間より被照射体を挿入することにより、被照射体が多角形に配置された鏡面に映し出され、これをハーフミラーを通して外部から見ることができる。このため、子供が被照射体を隙間に挿入したり動かすという遊びとともに、これらの行為により鏡面に写し出された様々な形状、模様および色彩を楽しむことができ、また鏡面に映された模様等をハーフミラーより見ることができるため外部からみやすく、しかも従来と比べて安価にすることができる。
【０００８】
請求項２記載の万華鏡は、請求項１において、前記ミラー筒部が前記基体の上部に凹凸嵌合して保持されている。
【０００９】
請求項２記載の万華鏡によれば、請求項１と同様な効果のほか、組み立て容易であり、収納保管に便利である。
【００１０】
請求項３記載の万華鏡は、請求項２において、前記ミラー筒部と前記基体とが断面において同形の多角筒体であり、それぞれの各コーナ部の外角に沿って円柱部を有し、前記ミラー筒部の前記円柱部と前記基体の前記円柱部が凹凸嵌合している。
【００１１】
請求項３記載の万華鏡によれば、請求項２と同様な効果がある。
【００１２】
請求項４記載の万華鏡は、請求項３において、前記多角筒体が三角筒体である。
【００１３】
請求項４記載の万華鏡によれば、請求項３と同様な効果がある。
【００１４】
請求項５記載の万華鏡は、請求項４において、前記被照射体が、棒状部材である。
【００１５】
請求項５記載の万華鏡によれば、請求項４と同様な効果がある。
【００１６】
請求項６記載の万華鏡は、請求項４において、前記被照射体が、少なくとも先端が鉤状の部材である。
【００１７】
請求項６記載の万華鏡によれば、請求項４と同様な効果がある。
【００１８】
【発明の実施の形態】
この発明の一実施の形態の図１から図１１に基づいて説明する。この万華鏡は、基体１と、ミラー筒部２とを有する。
【００１９】
基体１は、被照射体３を載せる透光性板４を上面に有し、透光性板４の下方に光源５を有する。実施の形態の基体１は、高さの小さい三角形筒体であり、各コーナ部の外角に沿って円柱部６を設け、上端部に凹部７を形成している。透光性板４は拡散性を有するものが好ましく、例えば乳白透過パネルを用いる。光源５は照明灯として例えば環形蛍光ランプや片口金蛍光ランプを用い、その点灯装置（図示せず）を基体１の内部に配置している。
【００２０】
ミラー筒部２は、内面が鏡面となった多角筒体であって多角筒体の一端部を透光部８として、透光部８が透光性板４に対向するように配置されている。この際、透光性板４と透光部８との間に被照射体３を挿入するための隙間９を形成している。実施の形態において、ミラー筒部２は、ハーフミラー１１を基体１の断面と同形状の三角柱状に構成したものであり、その各コーナ部分は円柱部１０を設けている。これは、ハーフミラー１１の固定あるいは、基体１との固定ならびに子供がけがをしないことを目的に設置している。図７に示すように各円柱部１０に略Ｖ字形の縦溝２１を形成し、ハーフミラー１１の両側部を一対の円柱部１０の縦溝２１に挿着する。１９はハーフミラー１１の上端部を押える三角形状の押さえ部材であり、円柱部１０の上端部に固定される。２０は円柱部１０間の連結部である。基体１との固定のため、円柱部１０の下端部に凹部７に嵌合する凸部１２を有する。凸部１２が凹部７に嵌合することによりミラー筒部２が基体１に保持されて立設されている。隙間９は凸部１２が凹部５に納まることにより例えば５ｍｍ〜１０ｍｍ程度形成されるように設定している。なお上端は開口しているが閉じる蓋を設けてもよい。
【００２１】
被照射体３は例えば色のついた透光性の樹脂製であって、幅や長さの異なる複数の棒状部材１３（図８）、大きさの異なる一端が鉤状の複数の部材１４（図９）、円弧状部材１５（図１０）や半径の異なる丸形の部材１６（図１１）などがある。これらを隙間９より透光性板４上に載置する。
【００２２】
遊び方は、光源５を点灯し、色のついた棒状や鈎状の透光性樹脂の被照射体３を隙間９内に差し入れ透光性板４上に配置し、ミラー筒部２の表面に現れる様々な形状模様を見て楽しむものである。その際、多角柱で構成されたハーフミラー１１の効果により、被照射体３が平面上で無限に拡がっているように見えたり、器具内の照明により照らされた被照射体３の色や形状がよりいっそう際立ち幻想的な風景が目の前に現れる。被照射体３の配置組み合わせにより見える模様、風景は無限であり繰り返し何度でも遊ぶことができる。
【００２３】
この実施の形態によれば、上記のようにハーフミラー１１に囲まれた多角筒体のミラー面に、多角筒体と基体１との隙間９に被照射体３を挿入したものが、ミラー効果で被照射体３が多数映り込んで見える。この場合、一般的な万華鏡は多角筒体の平面方向の一方から見るのに対し、本品は外郭から見ることを特徴としている。ただし、上端を開口した場合には上から見ることも可能であり、また上から被照射体３を挿入することも可能である。
【００２４】
上記のようにハーフミラー１１は多角筒体にすることで、被照射体３を映り込ませる効果が生まれる。さらに、ハーフミラー１１であるため、全反射ミラーに比べ多角筒体の外郭から、被照射体３の写り込みが確認できる。この場合、ハーフミラー１１は、外郭の全般光が強いと外郭面に色々な外部の物体が写り込んで、多角筒体の内部の被照射体３が確認できない。それを解決するために、基体１の中に光源５を設けている。光源５の光は外郭の全般光に負けない明るさにするか、やや暗い空間で使用することが必要になる。
【００２５】
また、基体１と多角筒体との間の隙間９の部分に被照射体３を挿入し、多角筒体の外郭部分から内部を見ることで、被照射体３の無限に写り込んだ状態が確認できる。被照射体３は透過する色のついた樹脂製であり、基体１の部分の照明灯の光が、乳白パネルを通して透過してくる光を通しミラー面に美しく浮かび上がる。この際、被照射体３は、様々な形状のものにすることで、ハーフミラーに写り込んだ状態がさらにおもしろい形状に見ることができる。また被照射体３を多角筒体の上面部から挿入することで、隙間９から入れた状態の平面的な写り込みに対し、立体的な写り込みをさせることができる。さらに被照射体３を色々組み合わせて挿入することで、より様々なパターンを写り込ませることが可能で無限である。
【００２６】
なお、ハーフミラーは多角筒体の内面の少なくとも一面のみ形成され、他は通常の鏡を使用することができる。また多角筒体の内面の全体が鏡面であったが、一部は鏡面でなくてもよい。さらに多角筒体は一部が断面円弧状ないし曲面状であってもよい。また円柱部１０に凸部を形成したが、これと反対に凹部を形成し、円柱部６に凸部を形成してもよい。
【００２７】
【発明の効果】
請求項１記載の万華鏡によれば、隙間より被照射体を挿入することにより、被照射体が多角形に配置された鏡面に映し出され、これをハーフミラーを通して外部から見ることができる。このため、子供が被照射体を隙間に挿入したり動かすという遊びとともに、これらの行為により鏡面に写し出された様々な形状、模様および色彩を楽しむことができ、また鏡面に映された模様等をハーフミラーより見ることができるため外部からみやすく、しかも従来と比べて安価にすることができる。
【００２８】
請求項２記載の万華鏡によれば、請求項１と同様な効果のほか、組み立て容易であり、収納保管に便利である。
【００２９】
請求項３記載の万華鏡によれば、請求項２と同様な効果がある。
【００３０】
請求項４記載の万華鏡によれば、請求項３と同様な効果がある。
【００３１】
請求項５および請求項６記載の万華鏡によれば、請求項４と同様な効果がある。
【図面の簡単な説明】
【図１】この発明の一実施の形態の斜視図である。
【図２】その分解斜視図である。
【図３】正面図である。
【図４】（ａ）は基体の平面図、（ｂ）はその正面図である。
【図５】図４のＡ−Ａ線断面図である。
【図６】（ａ）はミラー筒部の平面図、（ｂ）はその正面図である。
【図７】図６（ａ）のＢ−Ｂ線断面図である。
【図８】被照射体が棒状体である場合のそれぞれ幅が異なる平面図である。
【図９】被照射体が鉤形になっている場合のそれぞれ大きさが異なる平面図である。
【図１０】被照射体が円弧形になっている場合の平面図である。
【図１１】被照射体が丸形になっている場合のそれぞれ大きさが異なる平面図である。
【符号の説明】
１    基体
２    ミラー筒部
３    被照射体
４    透光性板
５    光源
６    円柱部
７    凹部
８    透光部
９    隙間
１０    円柱部
１１    ハーフミラー
１２    凸部
【図１】
2004205876.tif 000003
【図２】
2004205876.tif 000004
【図３】
2004205876.tif 000005
【図４】
2004205876.tif 000006
【図５】
2004205876.tif 000007
【図６】
2004205876.tif 000008
【図７】
2004205876.tif 000009
【図８】
2004205876.tif 000010
【図９】
2004205876.tif 000011
【図１０】
2004205876.tif 000012
【図１１】
2004205876.tif 000013